(57)【要約】【課題】  コンクリート打ち放し面施工後に於いて、コンクリート型枠用棒状セパレーターの位置決め体の一部が、外壁面近くに接しているため雨水の浸透によるコンクリートの劣化がおきており、防水性の向上と施工の良さを得ること。【解決手段】  本発明のコンクリート型枠用棒状セパレーターでは、捩り切り取りの箇所となる捩り切り取り細径部６を位置決め体３からさらに壁の中心よりに設けている。【選択図】図１
2011089379.tif 000002
【特許請求の範囲】
【請求項１】
対向するせき板を所要の間隔に締め付け保持するため、型枠締め付け金具を螺合するネジ部４と棒状本体に遊嵌する位置決め体３と前記位置決め体移動防止手段として位置決め体止め突起７とを棒状本体両端部に一体状に設けたコンクリート型枠用棒状セパレーターに於いて
ネジ部４及び位置決め体３と棒状本体の一部の捩り切り取り手段として、捩り切り取り細径部６と回り止め５とを棒状本体１の両位置決め体止め突起７間に形成するものであって
前記回り止め５は、棒状本体１のプレス加工平行面５ａと該平行面に嵌入のＵ字状の回り止め金具５ｂとで一体にしており、位置決め体止め突起７の設けた箇所から中心寄りに、そして捩り切り取りの作用の支点となる箇所に１か所以上突設しており、前記捩り切り取り細径部６は棒状本体の外径より細い径の溝状としており、前記位置決め止め突起７と前記回り止め５との間に設けて成るコンクリート型枠用棒状セパレーター
【発明の詳細な説明】
【技術分野】
【０００１】本発明は、コンクリート構築時に、コンクリート型枠に於いて、対向するせき板を所要の間隔に、締め付け保持し、その空間にコンクリートを打設するために用いられる棒状セパレーターに関する。
【背景技術】
【０００２】一般的に、コンクリート型枠工法を用いての、コンクリートの躯体の施工は、次の順序で行われている。即ち、床、鉄筋の配筋工事、型枠工事、（型枠建て込み、型枠の補強工事、床への固定工事）、コンクリートの打設工事、型枠の解体工事、コンクリート面の外装工事と進められ、この棒状セパレーターは、この型枠工事に於いて型枠の建て込みに使われる。使い方は，鉄筋を挟むようにせき板（合板製、鉄製、プラスチック製）を片側だけ先に建てていき、それに必要な数の孔をあけ、セパレーターの片側ネジ部をその穴に差し込み、位置決め体を当接させ、型枠の締め付け金具のネジ部に螺合し固定、対向するせき板にも同様に締め付けており、型枠構築後、打設、型枠解体ののち、コンクリート面から突き出たネジと位置決め体の取り除きをし、そして、位置決め体を取り除いた後のくぼみにモルタルを埋めて平面にしている。【０００３】このセパレーター部材には大きく分けて、棒状と板状があり、これ以後棒状セパレーター、板状セパレーターという。棒状セパレーターは、参考文献１、２が存在している。通常Ｂタイプと呼ばれている分離型があり（ピーコン使用）特許文献２，３が存在している。一体型は２種あり、通常ハットセパ（カップ付き）と座金付Ｃタイプと呼ばれている。これらはコンクリート施工面に合わせて使い分けされる。打ち放し用には，Ｂタイプとハットセパ、仕上げ用はＣタイプがあり、板状セパレーターには、型枠締結金具として特許文献１が存在する。
【先行技術文献】
【特許文献】
【０００４】
【特許文献１】  特許第４３２１７７９号
【特許文献２】  公開特許公報  特開２０００−５４６２７
【特許文献３】  公開実用新案公報  昭和６１−１１０７４９
【非特許文献】
【０００５】
【参考文献１】
岡部株式会社  ホームページ  型枠製品  丸セパ
【参考文献２】
株式会社  三先  ホームページ  ザ  セパレーター
【発明の概要】
【発明が解決しようとする課題】
【０００６】コンクリート打ち放し面施工に於いて、一般的には、棒状セパレーターの中で防水性の高い分離型通称Ｂタイプが使われるが、ピーコンとネジとの組み立てに手間がかかり、又取り除きにも手数がかかる。そして、これでも位置決め体であるピーコンが取り除かれた後のセパレーターの一部が外壁面の近くに接しており、雨水の浸透によりコンクリートの劣化がおきている。特に海水による劣化にも対策が必要で、ピーコン部分を長くして、壁の表面からさらに奥に取りはずしネジ部分を設けて塩害を防いでいるが、高価になっている。しかし、もう一方の一体型の棒状タイプのセパレーターでは、一体なのですぐに組み立てができ手数が省けるのだが、位置決め体の取り除きには、叩き折る方法なので、折り曲げにより位置決め体の周りのコンクリートが壊れ、そこから雨水が入りやすく防水性に劣っていた。加えて叩き折ると、折れたネジ部の位置決め体が飛散し、体を傷つけることが多々あった。そしてその掃除にも労力を要した。本発明では、この作業を改めて、またそのほかのセパレーターより、防水性に優れた打ち放し用セパレーターにするのが課題です。参考文献１及び２を参照した。
【課題を解決するための手段】
【０００７】本発明の課題である防水性の向上のためには、打設後にコンクリート表面からなるべく位置決め体より中心寄りの方で切り取りができればそれだけ防水性が向上することに鑑み、従来の叩き折り作業では位置決め体のすぐ後ろでしか切り取りが出来なかった。それを捩り切り取る作業に改めた。即ち、壁の表面の位置決め体の際からもっと中心よりの位置に、捩り切り取り用の細径部を設けていることと、その細径部よりさらに中心よりの位置に、回り止めを突設していることにより、壁面からより中心よりで切り取りが出来るようにしている。
【発明の効果】
【０００８】本発明による、一体型棒状セパレーターを使用する時の効果は、施工面では、打設後に、位置決め体の捩り切り取りをすると、棒状本体の端からの雨水の浸入も少ない。そして、板状タイプでは無理だが、棒状のため回転するので、捩り切り取り細径部６を少し中心の方へ移動させても捩り切ることができ、移動させたセパレーターを使うと、通称Ｂタイプや板状セパレーターを使った時よりも、もっと中心よりで切り取りが出来ており、雨水の浸入を大きく阻止でき、防水性が大変向上する。作業面に於いては、通称Ｂタイプ使用時程の、ピーコン取り付け取りはずしの手間もかからず、たった１回転程、ネジ部分を強く回転させるだけでよくて、この結果安全な作業になった。又、板状セパレーターに比べては、不要部分が少なくて済む。
【図面の簡単な説明】
【０００９】
【図１】本発明のコンクリート型枠用棒状セパレーター第１の回り止め実施形態を示す斜視図
【図２】本発明の第１の実施形態を示すＡ−Ａ断面図
【図３】本発明のコンクリート型枠用棒状セパレーターの組み立て状態を示す型枠の正面図
【発明を実施するための形態】
【００１０】
【実施例１】
【００１１】以下本発明によるコンクリート型枠用棒状セパレーターの実施の形態を図１〜３または符号に基づいて説明する。
セパレーターの使用目的は、コンクリート構造物を作る時の壁の厚さを決めるため、せき板とせき板を繋ぐもので、コンクリートの横への重量を支えるものである。そしてコンクリート面の施工状態により、使われるセパレーターは異なる。【００１２】本発明は、棒状セパレーターの種類のなかで、一体型セパレーターに関するもので、打ち放し外壁面のような、防水性が必要なところにはあまり使われていないが、しかし他では組み立ての時には手間がかからずよく使われているものです。【００１３】このような点を考え、本発明は棒状セパレーターを図１のように構成した。棒状本体１は外径７〜９ｍｍほどの金属製で、壁の中の部分と外の部分が必要な長さとなり、壁の厚さにより変動する。そして太さは、打設時のコンクリートの横への重量で決まる。それで型枠大工の方は丈夫な方を選び使用したいが、解体工はたたき折りにくいので困るという矛盾がある。壁の中の部分は壁の厚さに相当する部分で、位置決め体３とそれに対向する位置決め体３とのせき板２に当接する外面間の長さです。この位置決め体は棒状本体１に、大径を外向きに遊嵌しており、それが中心に寄っていかないよう棒状本体に、移動防止用の位置決め体止め突起７と反対側にも止め突起７を設けている。棒状本体１で、外の部分は、両端に設けた雄ネジ４と差し込むせき板２の厚さに相当する棒状の部分で、両端に設けた雄ネジ４は、通称フォームタイ８の端の雌ネジを螺合させる部分であり、そのネジ４の中心側にせき板の孔１０を通し嵌め入れる部分を設けてあり、そこには、せき板２の孔１０の中で回転しないよう回り止め１１を設けている。【００１４】このように、せき板を所要の間隔に締め付け保持できるような構造にしたう上で、捩り切り取りのために、棒状本体１に捩り切り取り細径部６と回り止め５を設けた。捩り切り取り細径部６の設けた位置は、壁の中となる部分で、位置決め体止め突起７両方の間にあり、位置決め体止め突起７から中心の方向で、防水性の必要度に応じて設ける位置を変動させている。そして、この細径部６は、棒状本体１より少し細くした径の溝状であるが叩き取り除きの方法の時より太くして、引張強さを増加させている。
次に回り止め５の設けた位置は、捩り切り用細径部６から中心よりで鉄筋９に接しない場所に設けたもので、図２のように、二つの構成部分から成り、一つには、棒状本体の円周部分をプレスして、横長の雄平行面５ａを設けてあり、二つには、Ｕ字状にした回り止め金具５ｂであり、その内面の雌平行面を雄平行面５ａに嵌入させることで一体にして突設させている。このほかに棒状本体の円周に添わせたＵ字状の回り止め金具を溶接にて一体にして突設させることもできる。こうして回り止め５の機能を設けた。そして条件として捩り切りの応力に耐えられる位置、即ち捩り切り取り可能な位置に設けるのである。よって棒状本体が長くなれば１ケ所以上設けている。又この回り止めはコンクリートの中に埋めておくものです。これらの機能の集約の結果防水性の向上を計り作業性も合わせて向上させている。【００１５】以上のように構成したもので、組み立ては型枠大工が行い、図３のように、補強材の鉄筋９を挟んで両側に当セパレーターの雄ネジが差し込めるように建てたせき板２にあけた孔１０に、当セパレーターの両端に設けた雄ネジ４どうしを貫通させ、ネジを外に出し、せき板２の内面に、幅を狭めて位置決め体であるカップの、大径を当接させ、外側に出た雄ネジ４に通称フォームタイと呼ばれる型枠締め付け金具８を螺合して、対向するせき板２を締め付けて保持し、その上で、型枠締付金具８は、横にした端太材の型枠への押しつけにより補強するため、くさびやネジで固定している。このように壁の寸法にあわせてせき板を並べ、釘により横に繋いだあと型枠が動かないよう床にも固定し、その後、せき板とせき板との空間に、液体状のコンクリートを流し込み２〜３日して固化した後、解体工が型枠を解体するとコンクリートの壁ができる。この後、せき板どうしを繋いでいて使用済みとなったネジと位置決め体を、捩り切り取るため、ネジの外径部分を、パイプレンチのような工具を使って回転させると回り止め５が止め支点となって、壁面の位置決め体３より中心寄りに設けた捩り切り取り細径部６から捩り切り取りができるようになり、その後、位置決め体３と棒状本体１の一部が取り除かれたあとの空洞に、モルタルを塗り込んで平らにしている。
【符号の説明】
【００１６】１  棒状本体
２  せき板
３  位置決め体
４  雄ネジ
５  回り止め
５ａ  回り止め金具
５ｂ  棒状本体プレス加工平行面
６  捩り切り取り細径部
７  位置決め体止め突起
８  型枠締め付け金具
９  鉄筋
１０  ネジ用貫通孔
１１  せき板用回り止め
【図１】
2011089379.tif 000003
【図２】
2011089379.tif 000004
【図３】
2011089379.tif 000005